(57)【要約】【課題】アドレス解決要求時に、無線ＬＡＮ基地局と無線ＬＡＮ端末とで間でトラフィック量を軽減することを可能とした無線ＬＡＮ基地局を提供することである。【解決手段】提案する無線ＬＡＮ基地局は、有線または無線区間からＡＲＰ要求を受信したときに、無線ＬＡＮ端末のＩＰアドレスとＭＡＣアドレスを関連付けた記憶部におけるその関連付けのレコード数と、その無線ＬＡＮ基地局に接続している端末の台数との比較を行なうことで、接続中の無線ＬＡＮ端末のＩＰアドレスをすべて把握しているかどうかを判定する判定部を有する。この判定部により上記ＩＰアドレスとＭＡＣアドレスの関連付けのレコード数と、その無線ＬＡＮ基地局に接続している端末の台数とが等しいと判定され、かつ、その受信したＡＲＰ要求に含まれるＩＰアドレスが上記記憶部に記憶されていない場合に、そのＡＲＰ要求を接続中の無線ＬＡＮ端末に対しブロードキャスト転送せず、かつ、上記有線または無線区間に対しＡＲＰ応答を行わないものである。【選択図】図３
2010087851.tif 000002
【特許請求の範囲】
【請求項１】
Ｐｒｏｘｙ  ＡＲＰ機能を有し、サーバと端末との間でデータのやり取りを行う無線ＬＡＮ基地局において、
有線または無線区間からＡＲＰ要求を受信したときに、無線ＬＡＮ端末のＩＰアドレスとＭＡＣアドレスを関連付けた記憶部におけるその関連付けのレコードの数と、自無線ＬＡＮ基地局に接続している端末の台数との比較を行なうことで、接続中の無線ＬＡＮ端末のＩＰアドレスをすべて把握しているかどうかを判定する第１判定部と、
前記ＡＲＰ要求により、接続中の無線ＬＡＮ端末に対しブロードキャスト転送を行ない、ＡＲＰ応答をサーバに送信する送受信部を有し、
前記送受信部は、前記第１判定部により、無線ＬＡＮ端末のＩＰアドレスとＭＡＣアドレスの関連付けのレコードの数と、前記無線ＬＡＮ基地局に接続している端末の台数とが等しいと判定されて、かつ、前記受信したＡＲＰ要求に含まれるＩＰアドレスが前記記憶部に記憶されていない場合に、前記ＡＲＰ要求を接続中の無線ＬＡＮ端末に対しブロードキャスト転送することなく、かつ、前記有線または無線区間に対しＡＲＰ応答を行わない、ことを特徴とする無線ＬＡＮ基地局。
【請求項２】
前記第１判定部により、無線ＬＡＮ端末のＩＰアドレスとＭＡＣアドレスの関連付けのレコードの数と、前記自無線ＬＡＮ基地局に接続している端末の台数とが等しいと判定されて、かつ、前記受信したＡＲＰ要求に含まれるＩＰアドレスが前記記憶部に記憶されている場合に、前記ＡＲＰ要求を接続中の無線ＬＡＮ端末に対しブロードキャスト転送することなく、かつ、前記有線または無線区間に対し、前記受信したＡＲＰ要求に含まれるＩＰアドレスと、そのＩＰアドレスに対応する前記記憶部中のＭＡＣアドレスを含むＡＲＰ応答を行なう、ことを特徴とする請求項１記載の無線ＬＡＮ基地局。
【請求項３】
前記第１判定部により、ＩＰ−ＭＡＣ関連付けのレコードの数が、前記無線ＬＡＮ基地局に接続している端末の台数より少ないと判定された場合、前記ＡＲＰ要求を接続中の無線ＬＡＮ端末に対しブロードキャスト転送するＡＲＰ要求転送部と、
前記接続中の無線ＬＡＮ端末に対しブロードキャスト転送したＡＲＰ要求に対して、ＡＲＰ応答の受信があるかどうかを判定する第２判定部と、
前記第２判定部により、ＡＲＰ応答が接続中のある無線ＬＡＮ端末から送信されたと判定された場合、そのＡＲＰ応答を送信した無線ＬＡＮ端末のＭＡＣアドレスとＩＰアドレスを前記無線ＬＡＮ基地局のＡＲＰテーブルに登録し、前記無線ＬＡＮ基地局から、そのＡＲＰ応答を送信した無線ＬＡＮ端末のＭＡＣアドレスとＩＰアドレスを含むＡＲＰ応答を、ＡＲＰ要求があった有線または無線の区間であるＡＲＰ要求の送信元に返信するＡＲＰ応答部と、をさらに有することを特徴とする請求項１記載の無線ＬＡＮ基地局。
【請求項４】
前記第２判定部により、前記ＡＲＰ応答が接続中のいずれの無線ＬＡＮ端末からも送信されなかったと判定された場合、前記有線または無線区間に対しＡＲＰ応答を行わないことを特徴とする請求項３記載の無線ＬＡＮ基地局。
【発明の詳細な説明】
【技術分野】
【０００１】
本発明は、ローカルエリアに設置された無線ＬＡＮ基地局に関し、特に、無線ＬＡＮ基地局が行なうアドレス解決要求、例えば相手側端末のＩＰアドレスに対応する、その相手側端末のＭＡＣアドレスを知ろうとする要求の処理技術に関する。
【背景技術】
【０００２】
イーサネット（Ethernet）(登録商標）をベースとしたネットワークではＩＰアドレスを指定して通信を行なうが、送信元と送信先が同一のネットワークである場合、すなわち、送信元と送信先のサブネットグループが同一である場合、データリンク層のアドレス（以下、「ＭＡＣ（Media Access Control）アドレス」という）を使用して通信を行なっている。このため、配下に接続している端末のＩＰアドレスとＭＡＣアドレスを関連付けるテーブル（以下、「ＡＲＰ（Address Resolution Protocol）テーブル」という）を無線ＬＡＮ基地局において管理している。そして、通信をスムーズに行なうために、例えば通信を開始しようとする無線ＬＡＮ端末は相手側のＭＡＣアドレスを知るために、ＩＰアドレス“XXX.XXX.X.XXX”を持つ装置はどれか？（“Who is XXX.XXX.X.XXX”）、というアドレス解決プロトコル要求（以下、「ＡＲＰ要求」という）をブロードキャストして、それを無線ＬＡＮ基地局が受信したときに、有線・無線を問わずに、配下に接続している端末を代理して、無線ＬＡＮ基地局がＡＲＰテーブルを参照して対応するＭＡＣアドレスを応答するようにしている。これを、無線ＬＡＮ基地局のＰｒｏｘｙ  ＡＲＰ機能と呼んでいる。
【０００３】
また、企業内、例えば百貨店、スーパーマーケット、等には、サーバと端末が上述したＰｒｏｘｙ  ＡＲＰ機能を有する無線ＬＡＮ基地局（無線ＬＡＮアクセスポイント）を介してデータのやり取りを行なうシステムが設置されている。
【０００４】
例えば、百貨店の場合、各階に４〜５台の無線ＬＡＮ基地局があり、それぞれの無線ＬＡＮ基地局の下には、通常設置場所がレジ等であるＰＯＳ端末や、ラップトップなどのモバイル端末が無線ＬＡＮ端末として複数台接続されている。このように、無線ＬＡＮ基地局が多数存在する環境では、ほぼ同時に一斉にブロードキャストパケットが送信されるために、トラフィックが増えて、帯域が占有されてしまう、という問題がある。そこで、これを解決するために、無線ＬＡＮ基地局が配下に接続している端末を代理してＡＲＰ要求に応答する上述のＰｒｏｘｙ  ＡＲＰ機能が無線ＬＡＮ基地局に実装されている。
【０００５】
このようなシステムでは、無線ＬＡＮ基地局より上位側、すなわち、上位装置（ルータ、サーバ（以下、このサーバのことを「有線ＬＡＮサーバ」ということがある）、等）とＨＵＢ／ＳＷの間、および、ＨＵＢ／ＳＷと複数台の無線ＬＡＮ基地局の間は有線（すなわち、ケーブル）で接続されている。なお、実際は、上位装置もいずれかの階に設置されており、その階のいずれかの無線ＬＡＮ基地局に接続されている。
【０００６】
図４において、有線ＬＡＮサーバ（ここでは、そのＩＰアドレスを“192.168.0.1”とする）１１から、無線ＬＡＮ端末（これは例えばレジに設置されたＰＯＳ端末である。また、ここでは、そのＩＰアドレスを“192.168.0.201”とする）１４−１に、データ通信を行う場合、プロトコルの最初の段階で、その有線ＬＡＮサーバ１１から、同じネットワークのグループに接続している機器（通常ＨＵＢ／ＳＷに接続している機器が該当する）つまり、各階の各無線ＬＡＮ基地局に対し、そのサーバのＩＰアドレス“192.168.0.201”を持つ装置はどれか？（“Who is 192.168.0.201”）、というＡＲＰ要求をブロードキャストする。
これにより、その無線ＬＡＮ端末のＩＰアドレスに対応するＭＡＣアドレスを有線ＬＡＮ
サーバは知ろうとする。
【０００７】
ＡＲＰ要求を受信した各無線ＬＡＮ基地局は、それぞれの無線ＬＡＮ基地局の下に接続している装置（端末またはサーバ）にそのＡＲＰ要求をブロードキャストする。なお、ここまでの動作は図４には示されていない。
【０００８】
このＡＲＰ要求を有線ＬＡＮサーバ１１が受信すると、サーバ１１側でも通信相手のＭＡＣアドレスを知る必要があることから、有線ＬＡＮサーバ１１は、図４の（１）において、受信したＡＲＰ要求に含まれる通信相手の端末のＩＰアドレス“192.168.0.201” を持つ装置はどれか？（“Who is 192.168.0.1”）、というＡＲＰ要求をブロードキャストする。
【０００９】
このＡＲＰ要求は、ＨＵＢ／ＳＷ１２を介して、無線ＬＡＮ基地局１３−１、１３−２、・・・、１３−５にブロードキャストされる。
無線ＬＡＮ基地局１３−１の下に通信相手の端末が接続していて、無線ＬＡＮ基地局１３−１がＰｒｏｘｙ  ＡＲＰ機能を有しており、その通信相手の端末のＩＰアドレスに対応するＭＡＣアドレスをＡＲＰテーブル上に持っている場合、図４の（２）で、無線ＬＡＮ基地局１３−１は、ＡＲＰ要求を無線区間に転送することなく、そのＡＲＰテーブルを参照して、対応するＭＡＣアドレスをその端末の代理でＡＲＰ応答を返信する。
【００１０】
一方、同様にＰｒｏｘｙ  ＡＲＰ機能を有する無線ＬＡＮ基地局１３−２〜１３−５は、通信相手の端末に接続していないために、それぞれが管理する、上述のＡＲＰテーブル中に、そのＡＲＰ要求に含まれる端末のＩＰアドレスが登録されるはずがなく、よって、無線ＬＡＮ基地局による代理応答を行わずに、図４の（２’）で、無線ＬＡＮ基地局１３−２〜１３−５の下に接続している装置（端末またはサーバ）にそのＡＲＰ要求をブロードキャストする。すなわち、従来の無線ＬＡＮ基地局においては、パケットを受け渡すことが目的であるため、ＡＲＰテーブル上にそのＡＲＰ要求に含まれるＩＰアドレスが登録されていない場合、無線ＬＡＮ端末の接続の有無を問わず、ブロードキャスト転送を行っている。そして、上述したように、このブロードキャスト転送に起因して、トラフィックが増えて、帯域が占有されてしまう、という問題がある。
【００１１】
なお、図４には示されていないが、その後は、有線ＬＡＮサーバ１１と無線ＬＡＮ端末１４−１との間で通信が行なわれる。
このように、従来は、無線ＬＡＮ基地局がＰｒｏｘｙ  ＡＲＰ機能を有しているにもかかわらず、それが十分有効に活用されることなく、ＡＲＰ要求などの無駄なパケットが多く転送される、という問題がある。
【００１２】
なお、周辺技術として、例えば、特許文献１では、ＡＴＭ交換網において、エミュレーション端末からのＡＲＰ要求に対して、エミュレーションクライアント装置がＢＵＳ（Broadcast and Unknown Server）に接続してＡＲＰサーチテーブル内に該当するＩＰアドレスがあるかどうかをサーチし、該当するＩＰアドレスがそのテーブル内に登録されていない場合はすべてのＬＥＣ（LAN Emulation Client）に対してマルチキャストＶＣＣ（コネクション）上で、ＩＰ／ＭＡＣ−ＡＲＰ要求を転送することで、ＡＲＰ要求のトラッッフィック削減を可能としたＬＡＮエミュレーションシステムが示されている。
【００１３】
また、特許文献２では、端末は、登録済みのＡＲＰテーブルを記憶した第１のキャッシュテーブルと、バックグラウンドプロセス（デーモン）により更新される、新規のＩＰアドレスとＭＡＣアドレスとを対応付けた第２のキャッシュテーブルとを有する。そして、端末は、ＡＲＰ要求を受信したときに、該当するＩＰアドレスで、第１のキャッシュテーブルを検索し、なければ、第２のキャッシュテーブルを使用してアドレス解決を実行して
いる。
【００１４】
また、特許文献３では、通信中端末のＭＡＣ−ＩＰアドレスを所定の登録時間だけ登録するＡＲＰテーブルと、そのＡＲＰテーブルをその登録時間より短い周期で監視し、ＭＡＣ−ＩＰアドレスの登録が削除された後にカウントを開始する監視カウンタとを有するダイヤルアップ接続ルータが示されている。このルータでは、その監視カウンタが閾値に達したときに、通信終了後の回線切断が実行される。
【００１５】
また、特許文献４では、ネットワークアドレスとＭＡＣアドレスとの対応を登録するネットワークテーブルと、そのネットワークテーブルにネットワークアドレスとＭＡＣアドレスを登録したときにスタートするタイマＴ１と、タイマＴ１と同時にスタートし、タイマＴ１より小さい所定時間経過後にタイムオーバーとなるタイマＴ２とを有する通信装置が示されている。この通信装置では、タイマＴ１の時間だけ、ネットワークアドレスとＭＡＣアドレスとの対応を登録し、タイマＴ１がタイムオーバーになりそうなタイミングをタイマＴ２により検出し、早めにＡＲＰ要求を行っている。
【特許文献１】特開平９−２９８５５４号公報
【特許文献２】特開２０００−２０９２２６号公報
【特許文献３】特開第３５９２２４９号公報
【特許文献４】特開第３６５７４２０号公報
【発明の開示】
【発明が解決しようとする課題】
【００１６】
本発明は、アドレス解決要求時に、無線ＬＡＮ基地局と端末との間でトラフィック量を軽減することを可能とした無線ＬＡＮ基地局を提供することを目的とする。
【課題を解決するための手段】
【００１７】
提案する無線ＬＡＮ基地局は、有線または無線区間からＡＲＰ要求を受信したときに、無線ＬＡＮ端末のＩＰアドレスとＭＡＣアドレスを関連付けた記憶部におけるその関連付けのレコードの数と、その無線ＬＡＮ基地局に接続している端末の台数との比較を行なうことで、接続中の無線ＬＡＮ端末のＩＰアドレスをすべて把握しているかどうかを判定する第１判定部と、ＡＲＰ要求により、接続中の無線ＬＡＮ端末に対しブロードキャスト転送を行ない、ＡＲＰ応答をサーバに送信する送受信部と、を有する。
【００１８】
そして、上記送受信部は、上記第１判定部により、無線ＬＡＮ端末のＩＰアドレスとＭＡＣアドレスの関連付けのレコードの数と、その無線ＬＡＮ基地局に接続している端末の台数とが等しいと判定されて、かつ、その受信したＡＲＰ要求に含まれるＩＰアドレスが前記記憶部に記憶されていない場合に、そのＡＲＰ要求を接続中の無線ＬＡＮ端末に対しブロードキャスト転送することなく、かつ、前記有線または無線区間に対しＡＲＰ応答を行わないものである。
【発明の効果】
【００１９】
提案する無線ＬＡＮ基地局によれば、第１判定部により、ＩＰアドレスとＭＡＣアドレスを関連付けた記憶部を用いて、接続中の無線ＬＡＮ端末のＩＰアドレスをすべて把握していると判定された場合、受信したＡＲＰ要求に含まれるＩＰアドレスがその記憶部に記憶されていなければ、そのＡＲＰ要求を接続中の無線ＬＡＮ端末に対しブロードキャスト転送しないようにしている。これにより、ブロードキャストパケットであるＡＲＰ要求の転送量を抑えることができ、無線ＬＡＮ基地局と端末との間の無線ＬＡＮ区間のトラフィック量（負荷、帯域）を軽減することができる。
【発明を実施するための最良の形態】
【００２０】
以下図面に基づいて、本発明の実施形態について詳細を説明する。
図１は、本発明の一実施形態に係る無線ＬＡＮ基地局を含むシステム構成図である。このシステムは企業内、例えば百貨店、スーパーマーケット、等に設置される。
【００２１】
図１に示すように、このシステムは、有線ＬＡＮサーバ１と、ＨＵＢ／ＳＷ２と、無線ＬＡＮ基地局３−１、３−２、・・・、３−５と、無線ＬＡＮ基地局３−１に接続している無線ＬＡＮ端末４−１等と、無線ＬＡＮ基地局３−２に接続している無線ＬＡＮ端末４−２等と、無線ＬＡＮ基地局３−３に接続している無線ＬＡＮ端末４−３と、無線ＬＡＮ基地局３−５に接続している無線ＬＡＮ端末４−５等と、によって構成されている。なお、各無線ＬＡＮ基地局は、上述したＰｒｏｘｙ  ＡＲＰ機能を有する。そして、有線ＬＡＮサーバ１と各無線ＬＡＮ端末とは、無線ＬＡＮ基地局（無線ＬＡＮアクセスポイント）を介してデータのやり取りを行なう。
【００２２】
例えば、百貨店の場合、各階に４〜５台の無線ＬＡＮ基地局があり、それぞれの無線ＬＡＮ基地局の下には、通常設置場所がレジ等であるＰＯＳ端末や、ラップトップなどのモバイル端末が無線ＬＡＮ端末として複数台接続されている。
【００２３】
図１のシステムでは、無線ＬＡＮ基地局より上位側、すなわち、有線ＬＡＮサーバ１とＨＵＢ／ＳＷ２の間、および、ＨＵＢ／ＳＷ２と５台の無線ＬＡＮ基地局３−１、３−２、・・・、３−５の間は有線（すなわち、ケーブル）で接続されている。なお、実際は、有線ＬＡＮサーバ１もいずれかの階に設置されており、その階のいずれかの無線ＬＡＮ基地局に接続されている。
【００２４】
図１において、有線ＬＡＮサーバ（ここでは、そのＩＰアドレスを“192.168.0.1”とする）１から、無線ＬＡＮ端末（これは例えばレジに設置されたＰＯＳ端末である。また、ここでは、そのＩＰアドレスを“192.168.0.201”とする）４−１に、データ通信を行う場合、プロトコルの最初の段階で、その有線ＬＡＮサーバ１から、同じネットワークのグループに接続している機器（通常ＨＵＢ／ＳＷに接続している機器が該当する）つまり、各階の各無線ＬＡＮ基地局に対し、そのサーバのＩＰアドレス“192.168.0.201”を持つ装置はどれか？（“Who is 192.168.0.201”）、というＡＲＰ要求をブロードキャストする。
これにより、その無線ＬＡＮ端末のＩＰアドレスに対応するＭＡＣアドレスを有線ＬＡＮサーバは知ろうとする。
【００２５】
ＡＲＰ要求を受信した各無線ＬＡＮ基地局は、それぞれの無線ＬＡＮ基地局の下に接続している装置（端末またはサーバ）にそのＡＲＰ要求をブロードキャストする。
このＡＲＰ要求は、ＨＵＢ／ＳＷ２を介して、無線ＬＡＮ基地局３−１、３−２、・・・、３−５にブロードキャストされる。
【００２６】
無線ＬＡＮ基地局３−１の下に通信相手の端末が接続していて、無線ＬＡＮ基地局３−１がＰｒｏｘｙ  ＡＲＰ機能を有しており、その通信相手の端末のＩＰアドレスに対応するＭＡＣアドレスをＡＲＰテーブル上に持っている場合、図１の（２−１）で、無線ＬＡＮ基地局１３−１は、そのＡＲＰテーブルを参照して、対応するＭＡＣアドレスをその端末の代理でＡＲＰ応答を返信する。図２は、無線ＬＡＮ基地局３−１が管理しているＡＲＰテーブルの一例を示す図である。
【００２７】
図２では、項番「１」で示されるレコード（行）が「ＩＰアドレス」の項目に無線ＬＡＮ端末４−１のＩＰアドレス“192.168.0.201”を持っている。よって、無線ＬＡＮ基地局３−１は図２のテーブルを参照して、図１の（３）において、ＩＰアドレス“192.168.0.201”はＭＡＣアドレス“00:01:02:03:04:05”である（192.168.0.201 is 00:01:02:03:04:05）というＡＲＰ応答を有線ＬＡＮサーバ１に対し行なう。
【００２８】
なお、図２において、項目「無通信時間」は、無線ＬＡＮ基地局がその無線ＬＡＮ端末との間でパケットの送受信が行われる度にリセットされる。一定時間通信がない場合、ＡＲＰテーブルから該当するレコードが削除される。例えば、項番３がその一例で、３０分間無通信状態が続いていたため、ＡＰＲテーブルから削除されたものである。また、配下の端末において、モバイル端末の占める割合が少なく、端末の組み合わせに殆ど変化がない場合、上記一定時間を長め（例えば２４時間）に設定する。
【００２９】
図１の説明に戻る。
上述したように、無線ＬＡＮ基地局３−１に通信相手の端末が接続されていることから、無線ＬＡＮ基地局３−２〜３−５は、通信相手の端末に接続していないことになり、そのため、それぞれが管理するＡＲＰテーブル中に、そのＡＲＰ要求に含まれる端末のＩＰアドレスは登録されてはいないはずである。
【００３０】
この場合、ＩＰ−ＭＡＣ関連付けの数（すなわち、ＡＲＰテーブルのレコード数）と、その無線ＬＡＮ基地局に接続している端末の台数とを比較し、比較結果に応じて処理を分岐する。
【００３１】
すなわち、「ＩＰ−ＭＡＣ関連付けの数  ＜  無線ＬＡＮ基地局に接続している端末の台数」である場合、ＩＰ−ＭＡＣ関連付けがすべてＡＲＰテーブル上に把握されてなく、該当するＩＰアドレスの端末が接続している可能性があるため、その無線ＬＡＮ基地局（図１では無線ＬＡＮ基地局３−２）から、図１の（２−２）において、ＡＲＰ要求を接続している無線ＬＡＮ端末４−２等にブロードキャストしている。
【００３２】
一方、「ＩＰ−ＭＡＣ関連付けの数  ＝  無線ＬＡＮ基地局に接続している端末の台数」である場合、すなわち、ＩＰ−ＭＡＣ関連付けがすべてＡＲＰテーブル上に把握されている場合（ＡＲＰ要求のＩＰアドレスの端末が接続していないことが確実に分かる場合）、図１の（２−３）において、該当する各無線ＬＡＮ端末（図１では無線ＬＡＮ基地局３−３、３−４、３−５）からＡＲＰ転送（ブロードキャスト通信）を行わない。これにより、無駄な電波を出すことなく、ブロードキャスト転送に起因して、トラフィックが増えて、帯域が占有されてしまうことを避けることができ、無線ＬＡＮ基地局と無線ＬＡＮ端末との間でトラフィック量を軽減することが可能となる。なお、本システムは、例えば、無線ＬＡＮ端末が長時間同じＩＰアドレスを継続的に利用する、ＰＯＳの店舗内運用等のイントラネット環境下での使用が好ましい。
【００３３】
また、図１には示されていないが、その後は、有線ＬＡＮサーバ１と無線ＬＡＮ端末４−１との間で通信が行なわれる。
【００３４】
図３は、無線ＬＡＮ基地局におけるＡＲＰ要求受信時の処理のフローチャートである。
図３のステップＳ１において、有線あるいは無線区間からＡＲＰ要求を受信することにより、一連の処理が開始する。
続く、ステップＳ２では、上述したように、ＩＰ−ＭＡＣ関連付けの数と、その無線ＬＡＮ基地局に接続している端末の台数との比較を行なうことで、接続中の無線ＬＡＮ端末のＩＰアドレスをすべて把握しているかどうかが判定される。
【００３５】
ステップＳ２で接続中の無線ＬＡＮ端末のＩＰアドレスをすべて把握していないと判定された場合（ステップＳ２の判定結果がＮＯの場合）、すなわち、「ＩＰ−ＭＡＣ関連付けの数  ＜  無線ＬＡＮ基地局に接続している端末の台数」である場合、ステップＳ３で、ＡＲＰ要求を無線区間（接続中の無線ＬＡＮ端末）に対し（ブロードキャスト）転送する。
【００３６】
ステップＳ３でのＡＲＰ要求の転送に対して、続く、ステップＳ４で、ＡＲＰ応答の受信があるかどうかが判定される。
ステップＳ４で、ＡＲＰ応答の受信が接続中のすべての無線ＬＡＮ端末からない場合（ステップＳ４の判定結果がＮＯの場合）、ステップＳ８において、この無線ＬＡＮ基地局からＡＲＰ応答を要求があった（有線または無線）区間（ＡＲＰ要求の送信元）に返信することなく、一連の処理を終了する。
【００３７】
一方、ステップＳ４で、ＡＲＰ応答の受信が接続中のある無線ＬＡＮ端末からあった場合（ステップＳ４の判定結果がＹＥＳの場合）、ステップＳ５において、その無線ＬＡＮ端末のＭＡＣアドレスとＩＰアドレスをこの無線ＬＡＮ基地局のＡＲＰテーブルに登録し、ステップＳ７において、この無線ＬＡＮ基地局から、そのＭＡＣアドレスとＩＰアドレスを含むＡＲＰ応答を要求があった（有線または無線）区間（ＡＲＰ要求の送信元）に返信する。
【００３８】
一方、ステップＳ２で接続中の無線ＬＡＮ端末のＩＰアドレスをすべて把握していると判定された場合（ステップＳ２の判定結果がＹＥＳの場合）、すなわち、「ＩＰ−ＭＡＣ関連付けの数  ＝  無線ＬＡＮ基地局に接続している端末の台数」である場合、ステップＳ６で、ＡＲＰ要求のＩＰアドレスが、この無線ＬＡＮ基地局のＡＲＰテーブルに存在するかどうかが判定される。
【００３９】
ステップＳ６において、ＡＲＰ要求のＩＰアドレスがＡＲＰテーブルに存在しないと判定された場合（ステップＳ６の判定結果がＮＯの場合）、ステップＳ８において、この無線ＬＡＮ基地局からＡＲＰ応答を要求があった（有線または無線）区間（ＡＲＰ要求の送信元）に返信することなく、一連の処理を終了する。
【００４０】
ステップＳ６において、ＡＲＰ要求のＩＰアドレスがＡＲＰテーブルに存在すると判定された場合（ステップＳ６の判定結果がＹＥＳの場合）、ステップＳ７において、この無線ＬＡＮ基地局から、そのＭＡＣアドレスとＩＰアドレスを含むＡＲＰ応答を要求があった（有線または無線）区間（ＡＲＰ要求の送信元）に返信する。
【図面の簡単な説明】
【００４１】
【図１】本発明の一実施形態に係る無線ＬＡＮ基地局を含むシステム構成図である。
【図２】ＡＲＰテーブルのデータ構成を示す図である。
【図３】無線ＬＡＮ基地局におけるＡＲＰ要求受信時の処理のフローチャートである。
【図４】従来のシステム構成図である。
【符号の説明】
【００４２】
１、１１      有線ＬＡＮサーバ
２、１２      ＨＵＢ／ＳＷ
３−１、３−２、３−３、３−４、３−５、１３−１、１３−２、１３−３、１３−４、１３−５      無線ＬＡＮ基地局
４−１、４−２、４−３、４−５、１４−１、１４−２、１４−３、１４−５      無線ＬＡＮ端末
【図１】
2010087851.tif 000003
【図２】
2010087851.tif 000004
【図３】
2010087851.tif 000005
【図４】
2010087851.tif 000006